(57)【要約】【課題】受信信号のコードを判定する精度を向上できる電波受信装置および電波修正時計を提供すること。【解決手段】電波受信装置は、標準電波を受信し、受信信号を二値化した二値化信号を出力する受信部と、二値化信号の信号幅を検出する信号幅検出部４１４と、二値化信号のコード判定に用いられる判定閾値を調整する閾値調整部（調整値算出部４１６および閾値設定部４１７）と、信号幅検出部４１４の検出値を調整された判定閾値と比較して、二値化信号のコードを判定するコード判定部４１８とを備える。閾値調整部は、マーカー信号が予め割り当てられている秒に対応する二値化信号の信号幅の検出値の、マーカー信号の信号幅の理論値からの変化量に基づいて、判定閾値を調整する。【選択図】図４
2016212018.tif 000002
【特許請求の範囲】
【請求項１】
標準電波を受信し、受信信号を二値化した二値化信号を出力する受信部と、
前記二値化信号の信号幅を検出する信号幅検出部と、
前記二値化信号のコード判定に用いられる判定閾値を調整する閾値調整部と、
前記信号幅検出部の検出値を調整された前記判定閾値と比較して、前記二値化信号のコードを判定するコード判定部と、を備え、
前記閾値調整部は、特定の信号が予め割り当てられている秒に対応する二値化信号の信号幅の検出値である特定信号検出信号幅の、前記特定の信号の信号幅の理論値からの変化量に基づいて、前記判定閾値を調整する
ことを特徴とする電波受信装置。
【請求項２】
請求項１に記載の電波受信装置において、
前記変化量は、前記特定信号検出信号幅と前記理論値との差分である
ことを特徴とする電波受信装置。
【請求項３】
請求項１に記載の電波受信装置において、
前記変化量は、前記特定信号検出信号幅の前記理論値に対する比率である
ことを特徴とする電波受信装置。
【請求項４】
請求項１から請求項３のいずれか一項に記載の電波受信装置において、
前記閾値調整部は、前記特定の信号が予め割り当てられている秒に対応する二値化信号を前記受信部が出力する毎に、検出された前記特定信号検出信号幅の前記変化量に基づいて、前記判定閾値を調整する
ことを特徴とする電波受信装置。
【請求項５】
請求項１から請求項３のいずれか一項に記載の電波受信装置において、
前記閾値調整部は、１分間の二値化信号を前記受信部が出力する毎に、少なくとも前記１分間に検出された前記特定信号検出信号幅の前記変化量の平均値に基づいて、前記判定閾値を調整する
ことを特徴とする電波受信装置。
【請求項６】
請求項１から請求項３のいずれか一項に記載の電波受信装置において、
データを記憶する検出値記憶部を備え、
前記信号幅検出部は、検出値を前記検出値記憶部に記憶させ、
前記閾値調整部は、１分間の二値化信号を前記受信部が出力する毎に、少なくとも前記１分間に検出された前記特定信号検出信号幅の前記変化量の平均値に基づいて、前記判定閾値を調整し、
前記コード判定部は、前記１分間に前記検出値記憶部に記憶された検出値を調整された前記判定閾値と比較することで、前記１分間の二値化信号のコードを判定する
ことを特徴とする電波受信装置。
【請求項７】
請求項１から請求項６のいずれか一項に記載の電波受信装置と、
内部時刻を計時する計時部と、
前記電波受信装置が判定したコードに基づいて、前記内部時刻を修正する時刻修正部と、を備える
ことを特徴とする電波修正時計。
【発明の詳細な説明】
【技術分野】
【０００１】
本発明は、標準電波を受信する電波受信装置および電波修正時計に関する。
【背景技術】
【０００２】
標準電波を受信し、受信した標準電波に基づいて内部時刻を修正する電波修正時計が知られている（例えば、特許文献１参照）。
特許文献１の電波修正時計は、受信した信号の信号幅を閾値と比較することによって、「１」、「０」、「マーカー」のコードを判定し、判定したコードに基づいて時刻データを取得している。
【先行技術文献】
【特許文献】
【０００３】
【特許文献１】特開２０１１−２１４８７１号公報
【発明の概要】
【発明が解決しようとする課題】
【０００４】
しかしながら、特許文献１の電波修正時計では、周囲の環境や、電波の送信条件などにより、受信電波の電界強度が弱くなると、受信した信号の信号幅が理論値からずれるため、受信した信号のコードを誤判定する可能性がある。
【０００５】
本発明の目的は、受信信号のコードを判定する精度を向上できる電波受信装置および電波修正時計を提供することにある。
【課題を解決するための手段】
【０００６】
本発明の電波受信装置は、標準電波を受信し、受信信号を二値化した二値化信号を出力する受信部と、前記二値化信号の信号幅を検出する信号幅検出部と、前記二値化信号のコード判定に用いられる判定閾値を調整する閾値調整部と、前記信号幅検出部の検出値を調整された前記判定閾値と比較して、前記二値化信号のコードを判定するコード判定部と、を備え、前記閾値調整部は、特定の信号が予め割り当てられている秒に対応する二値化信号の信号幅の検出値である特定信号検出信号幅の、前記特定の信号の信号幅の理論値からの変化量に基づいて、前記判定閾値を調整することを特徴とする。
【０００７】
本発明によれば、受信部が標準電波を受信して二値化信号を出力する毎に、信号幅検出部は二値化信号の信号幅を検出する。閾値調整部は、マーカー信号などの特定の信号が予め割り当てられている秒に対応する二値化信号の信号幅の検出値である特定信号検出信号幅の、特定の信号の信号幅の理論値からの変化量に基づいて、判定閾値を調整する。そして、コード判定部は、信号幅検出部の検出値を調整された判定閾値と比較して、二値化信号のコードを判定する。
特定信号検出信号幅に対して、特定の信号の理論値からの変化量を検出することで、受信部から出力される二値化信号の信号幅の理論値からの変化量を実測値に基づいて検出できる。このため、前記変化量に基づいて判定閾値を調整することで、受信電波の電界強度が弱く、二値化信号の信号幅が理論値からずれる場合でも、二値化信号のコードを正しく判定でき、コード判定の精度を向上できる。
【０００８】
本発明の電波受信装置において、前記変化量は、前記特定信号検出信号幅と前記理論値との差分であることが好ましい。
【０００９】
二値化信号の信号幅の理論値からの差分の平均値が、マーカー信号などの特定の信号、２進数の「１」を示す１信号、２進数の「０」を示す０信号で同程度となる特性を有する受信部の場合、特定信号検出信号幅と理論値との差分に基づいて判定閾値を調整することで、二値化信号のコード（１，０）を正しく判定できる。
【００１０】
本発明の電波受信装置において、前記変化量は、前記特定信号検出信号幅の前記理論値に対する比率であることが好ましい。
【００１１】
二値化信号の信号幅の理論値に対する比率の平均値が、マーカー信号などの特定の信号、１信号、０信号で同程度となる特性を有する受信部の場合、特定信号検出信号幅の理論値に対する比率に基づいて判定閾値を調整することで、二値化信号のコード（１，０）を正しく判定できる。
【００１２】
本発明の電波受信装置において、前記閾値調整部は、前記特定の信号が予め割り当てられている秒に対応する二値化信号を前記受信部が出力する毎に、検出された前記特定信号検出信号幅の前記変化量に基づいて、前記判定閾値を調整することが好ましい。
【００１３】
本発明によれば、特定の信号が予め割り当てられている秒に対応する二値化信号を受信部が出力すると、閾値調整部は、検出された特定信号検出信号幅の前記変化量に基づいて判定閾値を調整する。そして、コード判定部は、特定の信号が予め割り当てられている次の秒に対応する二値化信号を受信部が出力するまで、信号幅検出部の検出値を調整された判定閾値と比較して、二値化信号のコードを判定する。そして、これらの処理は、特定の信号が予め割り当てられている秒に対応する二値化信号を受信部が出力する毎に行われる。
これによれば、最初の１分間から二値化信号のコードを、調整した判定閾値で判定することができるため、正確なタイムコードの取得に早期に成功できる可能性を向上できる。
【００１４】
本発明の電波受信装置において、前記閾値調整部は、１分間の二値化信号を前記受信部が出力する毎に、少なくとも前記１分間に検出された前記特定信号検出信号幅の前記変化量の平均値に基づいて、前記判定閾値を調整することが好ましい。
【００１５】
本発明によれば、受信部が１分間、標準電波を受信し、１分間の二値化信号を出力すると、閾値調整部は、少なくとも前記１分間に検出された特定信号検出信号幅の前記変化量の平均値に基づいて判定閾値を調整する。そして、コード判定部は、次の１分間の二値化信号に対する信号幅検出部の検出値を、調整した判定閾値と比較して、二値化信号のコードを判定する。
本発明によれば、判定閾値の調整は、１分間隔で行われるため、例えばマーカー信号などの特定の信号を受信する毎に行われる場合と比べて、調整頻度を少なくでき、判定閾値の調整にかかる処理負荷を低減できる。
また、判定閾値は前記変化量の平均値に基づいて設定されるため、特定の信号にノイズが含まれる場合、ノイズが判定閾値の調整に与える影響を低減できる。したがって、ノイズの影響により、二値化信号のコードが誤って判定される可能性を低減できる。
【００１６】
本発明の電波受信装置において、データを記憶する検出値記憶部を備え、前記信号幅検出部は、検出値を前記検出値記憶部に記憶させ、前記閾値調整部は、１分間の二値化信号を前記受信部が出力する毎に、少なくとも前記１分間に検出された前記特定信号検出信号幅の前記変化量の平均値に基づいて、前記判定閾値を調整し、前記コード判定部は、前記１分間に前記検出値記憶部に記憶された検出値を調整された前記判定閾値と比較することで、前記１分間の二値化信号のコードを判定することが好ましい。
【００１７】
本発明によれば、信号幅検出部は、信号幅を検出する毎に、検出値を検出値記憶部に記憶させる。そして、受信部が１分間、標準電波を受信し、１分間の二値化信号を出力すると、閾値調整部は、少なくとも前記１分間に検出された特定信号検出信号幅の前記変化量の平均値に基づいて判定閾値を調整する。そして、コード判定部は、前記１分間に検出値記憶部に記憶された検出値を調整した判定閾値と比較して、前記１分間の二値化信号のコードを判定する。
これによれば、１分間の二値化信号と比較される判定閾値は、同じ１分間で検出された特定信号検出信号幅の前記変化量に基づいて調整される。すなわち、１分間の二値化信号と比較される判定閾値を、同じ受信環境で検出された特定信号検出信号幅の前記変化量に基づいて調整できるため、例えば、判定閾値を別の１分間で検出された特定信号検出信号幅の前記変化量に基づいて調整する場合と比べて、二値化信号のコードをより正しく判定できる。
また、判定閾値の調整は、１分間隔で行われるため、例えば特定の信号を受信する毎に行われる場合と比べて、調整頻度を少なくでき、判定閾値の調整にかかる処理負荷を低減できる。
また、判定閾値は前記変化量の平均値に基づいて設定されるため、ノイズの影響により、二値化信号のコードが誤って判定される可能性を低減できる。
【００１８】
本発明の電波修正時計は、上記電波受信装置と、内部時刻を計時する計時部と、前記電波受信装置が判定したコードに基づいて、前記内部時刻を修正する時刻修正部と、を備えることを特徴とする。
【００１９】
本発明によれば、受信電波の電界強度が弱く、二値化信号の信号幅が理論値からずれている場合でも、コード判定の精度を向上できるため、内部時刻の修正に成功する確率を向上できる。
【図面の簡単な説明】
【００２０】
【図１】本発明の第１実施形態に係る電波修正時計の構成を示すブロック図である。
【図２】日本における標準電波「ＪＪＹ」のタイムコードフォーマットを示す図である。
【図３】「ＪＪＹ」の各信号に対する受信パルスデューティーおよび振幅変化を示す図である。
【図４】第１実施形態におけるＴＣＯデコード部の構成を示すブロック図である。
【図５】第１実施形態における時刻修正動作を示すフローチャートである。
【図６】第１実施形態におけるＴＣ取得処理を示すフローチャートである。
【図７】第１実施形態におけるコード判定処理を示すフローチャートである。
【図８】本発明の第２実施形態に係るＴＣＯデコード部の構成を示すブロック図である。
【図９】第２実施形態におけるＴＣ取得処理を示すフローチャートである。
【図１０】本発明の第３実施形態に係るＴＣ取得処理を示すフローチャートである。
【発明を実施するための形態】
【００２１】
［第１実施形態］
以下、本発明の第１実施形態に係る電波修正時計１を図面に基づいて説明する。
［電波修正時計の構成］
電波修正時計１は、図１に示すように、アンテナ２と、受信回路部３と、制御回路部４と、表示部５と、外部操作部材６と、水晶振動子４８とを備えている。
アンテナ２は、長波標準電波（以下、「標準電波」と称す）を受信し、受信した標準電波の信号を受信回路部３に出力する。
【００２２】
標準電波には、日本の標準電波「ＪＪＹ」、アメリカ合衆国の標準電波「ＷＷＶＢ」、ドイツの標準電波「ＤＣＦ７７」、イギリスの標準電波「ＭＳＦ」、中国の標準電波「ＢＰＣ」などがある。
各標準電波では、ハイレベル信号の振幅とローレベル信号の振幅の割合が所定の比率のＡＭ変調で信号が出力されている。そして、ハイレベル信号またはローレベル信号の信号幅（もしくはディーティー）に基づいて２進数の「１」を示す１信号、２進数の「０」を示す０信号、マーカー（Ｐ，Ｍ）を示すＰ信号が判定される。
【００２３】
受信回路部３は、アンテナ２で受信した標準電波の受信信号を復調して、ＴＣＯ（Time Code Out：タイムコード出力）信号として制御回路部４に出力する。なお、受信回路部３の詳細な説明は、後述する。
【００２４】
制御回路部４は、入力されたＴＣＯ信号をデコードしてＴＣ（タイムコード、時刻データ）を生成し、生成したＴＣに基づいて時刻カウンター４３の時刻（内部時刻）を設定する。また、制御回路部４は、時刻カウンター４３の時刻を表示部５に表示させる制御をする。なお、制御回路部４の詳細な説明は、後述する。
【００２５】
表示部５は、制御回路部４の駆動回路部４６により駆動制御され、時刻カウンター４３でカウントされる時刻を表示させる。この表示部５としては、例えば液晶パネルを備え、液晶パネルに時刻を表示させる構成であってもよく、文字板および指針を備え、制御回路部４により指針を運針させて時刻を表示させる構成であってもよい。
【００２６】
外部操作部材６は、例えばリューズや設定ボタンなどにより構成され、ユーザーにより操作されることで制御回路部４に所定の操作信号を出力する。この操作信号としては、例えば、アンテナ２で受信される標準電波の種類（例えば、「ＪＪＹ」、「ＷＷＶＢ」、「ＤＣＦ７７」、「ＭＳＦ」、「ＢＰＣ」など）を設定する電波種類設定信号、標準電波を受信して時刻を修正させる修正要求信号などが挙げられる。
【００２７】
基準クロック用の水晶振動子４８は、所定の基準信号（基準クロック、例えば32.768kHzの信号）を出力するものであり、この水晶振動子４８から出力された基準信号が制御回路部４に入力されている。
【００２８】
［受信回路部の構成］
受信回路部３は、図１に示すように、同調回路３１と、第１増幅回路３２と、バンドパスフィルター（ＢＰＦ：Band-pass filter）３３と、第２増幅回路３４と、包絡線検波回路３５と、ＡＧＣ（Auto Gain Control）回路３６と、二値化回路３７と、デコード回路３８とを備えて構成されている。ここで、受信回路部３は、本発明の受信部の一例である。
【００２９】
同調回路３１は、コンデンサーを備えて構成され、同調回路３１とアンテナ２とにより並列共振回路が構成される。この同調回路３１は、特定の周波数の電波をアンテナ２で受信させる。この同調回路３１により、アンテナ２で受信された標準電波が電圧信号に変換され、第１増幅回路３２に出力される。
なお、本実施形態の受信回路部３では、「ＪＪＹ」、「ＷＷＶＢ」、「ＤＣＦ７７」、「ＭＳＦ」、「ＢＰＣ」などの標準電波を受信可能に構成されている。
【００３０】
［タイムコードフォーマット］
ここで、時刻情報（タイムコード）は、各国毎に所定の時刻情報フォーマット（タイムコードフォーマット）に合わせて構成されている。
例えば、図２に示す日本の標準電波「ＪＪＹ」のタイムコードフォーマットでは、１秒ごとに１つの信号が送信され、６０秒で１レコード（１フレーム）として構成されている。つまり、１フレームが６０ビットのデータである。また、データ項目として現時刻の分、時、現在年の１月１日からの通算日、年（西暦下２桁）、曜日および「うるう秒」等が含まれている。各項目の値は、各秒毎（各ビット毎）に割り当てられた数値の組み合わせによって構成され、この組み合わせが信号の種類から判断される。ここで、図２中「Ｍ」で示されるのは正分（毎分０秒）に対応するマーカーであり、「Ｐ１〜Ｐ５」で示されるのはポジションマーカーであり、予めその位置が定められている信号である。すなわち、「Ｍ」、「Ｐ１〜Ｐ５」は、マーカー信号である。
【００３１】
図３に示すように、「ＪＪＹ」では、タイムコードフォーマットの各項目において１信号は約０．５秒（５００msec）のパルス幅の信号であり、０信号は約０．８秒（８００msec）のパルス幅の信号であり、各マーカーを示すＰ信号は、約０．２秒（２００msec）のパルス幅の信号である。
【００３２】
第１増幅回路３２は、後述するＡＧＣ回路３６から入力する信号（ＡＧＣ電圧）に応じてゲインを調整し、同調回路３１から入力する受信信号を一定の振幅としてバンドパスフィルター３３に入力するように増幅する。すなわち、第１増幅回路３２は、ＡＧＣ回路３６から入力する信号に応じて、振幅が大きい場合にはゲインを低くし、振幅が小さい場合にはゲインを高くして、受信信号を一定の振幅となるように増幅する。
【００３３】
バンドパスフィルター３３は、所望の周波数帯の信号を抽出するフィルターである。すなわち、バンドパスフィルター３３を介することにより、第１増幅回路３２から入力した受信信号から搬送波成分以外が除去される。
第２増幅回路３４は、バンドパスフィルター３３から入力する受信信号を、固定のゲインでさらに増幅する。
【００３４】
包絡線検波回路３５は、図示しない整流器と、図示しないローパスフィルター（ＬＰＦ：Low-Pass Filter）とを備えて構成され、第２増幅回路３４から入力した受信信号を整流およびろ波し、ろ波して得られた包絡線信号を、ＡＧＣ回路３６および二値化回路３７に出力する。
【００３５】
ＡＧＣ回路３６は、包絡線検波回路３５から入力した包絡線信号に基づいて、第１増幅回路３２にて受信信号を増幅する際のゲインを決定する信号を出力する。
二値化回路３７は、包絡線検波回路３５から入力した包絡線信号と、基準電圧（閾値）とを比較して二値化信号、すなわち、ＴＣＯ信号を出力する。
【００３６】
デコード回路３８は、後述する制御回路部４と、シリアル通信線ＳＬを介して接続されている。そして、このデコード回路３８は、制御回路部４から入力する制御信号をデコードし、制御信号に含まれるコードに基づいて、同調回路３１やバンドパスフィルター３３を制御する制御信号を出力する。
【００３７】
［制御回路部の構成］
制御回路部４は、受信回路部３の動作を制御するものであり、受信回路部３に対して制御信号を出力する。具体的には、制御回路部４の制御部４７は、受信する標準電波に応じた同調コンデンサーの切り替えやバンドパスフィルター３３の切り替えを指示する制御信号を、受信回路部３を起動するパワーオン信号の送信時に送信する。
また、制御回路部４は、二値化回路３７から入力するＴＣＯ信号をデコードして取得したＴＣに基づいて、時刻カウンター４３の時刻（内部時刻）を設定する。さらには、制御回路部４は、時刻カウンター４３の時刻を表示部５に表示させる制御をする。
【００３８】
制御回路部４は、図１に示すように、ＴＣＯデコード部４１と、記憶部４２と、時刻カウンター４３と、駆動回路部４６と、制御部４７とを備えて構成されている。
【００３９】
ＴＣＯデコード部４１は、受信回路部３の二値化回路３７から入力するＴＣＯ信号をデコードして、当該ＴＣＯ信号に含まれる日付情報および時刻情報等を有するＴＣを取得する。そして、ＴＣＯデコード部４１は、取得したＴＣを制御部４７に出力する。
具体的には、ＴＣＯデコード部４１は、図４に示すように、サンプリング部４１１、秒同期検出部４１２、０秒位置検出部４１３、信号幅検出部４１４、差分記憶部４１５、調整値算出部４１６、閾値設定部４１７、コード判定部４１８、コード記憶部４１９を備えている。
ここで、ＴＣＯデコード部４１および受信回路部３は、本発明の電波受信装置を構成する。また、調整値算出部４１６および閾値設定部４１７は、本発明の閾値調整部を構成する。
【００４０】
サンプリング部４１１は、入力されたＴＣＯ信号のサンプリングを行う。秒同期検出部４１２は、入力されたＴＣＯ信号に対して、秒同期処理を行う。０秒位置検出部４１３は、入力されるＴＣＯ信号に対して、０秒位置を検出する。信号幅検出部４１４は、入力されるＴＣＯ信号の信号幅を検出する。差分記憶部４１５は、マーカー信号の信号幅検出部４１４の検出値と理論値との差分を記憶する。調整値算出部４１６は、ＴＣＯ信号のコード判定に用いられる判定閾値を調整する調整値を算出する。閾値設定部４１７は、算出された調整値に基づいて判定閾値を設定する。コード判定部４１８は、信号幅検出部４１４の検出値を判定閾値と比較して、ＴＣＯ信号のコードを判定する。コード記憶部４１９は、コード判定部４１８が判定した判定結果（コード値）を記憶する。
なお、ＴＣＯデコード部４１の各部の機能の詳細については、後述する電波修正時計１の動作の説明で詳述する。
【００４１】
図１に戻り、記憶部４２は、制御回路部４による受信回路部３の制御などに必要な各種情報やプログラムなどを記憶するメモリーである。
時刻カウンター４３は、水晶振動子４８から出力される基準信号に基づいて、時間（内部時刻）をカウントする。すなわち、時刻カウンター４３は、本発明の計時部である。
【００４２】
制御部４７は、水晶振動子４８から入力される駆動周波数に基づいて駆動し各種制御処理を実施する。制御部４７は、時刻修正部４７１を備え、時刻修正部４７１は、ＴＣＯデコード部４１から入力されるＴＣに基づいて、時刻カウンター４３のカウントを修正する制御をする。
【００４３】
駆動回路部４６は、制御部４７から出力される時刻表示制御信号に基づいて、表示部５の表示状態を制御し、表示部５に時刻を表示させる制御をする。例えば、表示部５が液晶パネルを有し、液晶パネルに時刻を表示させる構成である場合、駆動回路部４６は、時刻表示制御信号に基づいて、液晶パネルを制御し、液晶パネルに時刻を表示させる制御をする。また、表示部５が文字板および指針を有する構成である場合、駆動回路部４６は、指針を駆動させるステッピングモーターに、パルス信号を出力し、ステッピングモーターの駆動力により指針を運針させる制御をする。
【００４４】
［電波修正時計の動作］
次に、電波修正時計１の標準電波による時刻修正動作について説明する。
図５に示すように、電波修正時計１の制御部４７は、定期的な受信時刻になった場合や、ボタン等の外部操作部材６の操作によって強制受信操作が行われた場合に、受信回路部３を作動し、受信回路部３は、アンテナ２を介して標準電波の受信を開始する（Ｓ１）。
なお、受信する標準電波の種類は、前回受信した標準電波が初期値として設定されるが、ユーザーが外部操作部材６を操作して選択することもできる。
ここでは、例として「ＪＪＹ」を受信する場合の時刻修正動作を説明する。
【００４５】
受信回路部３が標準電波の受信を開始すると、二値化回路３７から順次、ＴＣＯ信号が出力される。また、ＴＣＯデコード部４１は、信号幅検出部４１４の検出値と理論値との差分を記憶する差分記憶部４１５およびコード判定結果を記憶するコード記憶部４１９を初期化してデータを消去する（Ｓ２）。
また、サンプリング部４１１は、二値化回路３７から出力されるＴＣＯ信号を、６４Ｈｚの周波数でサンプリングする（Ｓ３）。
秒同期検出部４１２は、秒同期処理Ｓ４を実行する。具体的には、秒同期検出部４１２は、サンプリング結果に基づいて、ＴＣＯ信号の立ち上がりタイミングの間隔を検出し、当該間隔が１秒間隔になると、秒同期が完了したと判定する。
【００４６】
秒同期検出部４１２は、Ｓ５で秒同期が完了していないと判定した場合（Ｓ５のＮＯ）、受信開始から所定時間（具体的には５分）経過したかを判定する（Ｓ６）。
そして、秒同期検出部４１２は、Ｓ６でＮＯと判定した場合には、秒同期処理Ｓ４を継続する。Ｓ６でＹＥＳと判定された場合には、標準電波を受信できていない場合や、受信していても電波強度が弱い場合等が考えられるため、制御部４７は受信回路部３の動作を終了さて、受信を終了させる（Ｓ７）。そして、制御部４７は、時刻修正動作を終了する。
【００４７】
秒同期が完了してＳ５でＹＥＳと判定された場合、サンプリング部４１１は、秒同期タイミングから例えば５０msec前のタイミングをサンプリング開始位置として確定する（Ｓ８）。
次に、０秒位置検出部４１３は、タイムコードの０秒位置を示すマーカー信号を取得して、０秒位置を確定する処理（分同期処理）を行う。例えば、ＪＪＹでは、マーカー信号が連続する部分が０秒位置となり、この連続するマーカー信号を検出することで０秒位置を確定できる。
そして、０秒位置検出部４１３は、０秒位置を確定できたかを判定する（Ｓ９）。Ｓ９でＮＯと判定された場合、Ｓ６で、０秒位置検出部４１３は、受信開始から所定時間（具体的には５分）経過したかを判定する。
そして、０秒位置検出部４１３は、Ｓ６でＮＯと判定した場合、処理をＳ４に戻す。すなわち、Ｓ９またはＳ６でＹＥＳと判定されるまで、秒同期処理Ｓ４および０秒位置を確定する処理が継続される。なお、０秒位置検出部４１３は、Ｓ９でＮＯと判定し、Ｓ６でＮＯと判定された場合、処理をＳ９に戻してもよい。
【００４８】
０秒位置が確定し、Ｓ９でＹＥＳと判定された場合、ＴＣＯデコード部４１は、ＴＣ取得処理Ｓ２０を実行する。
図６は、ＴＣ取得処理Ｓ２０を示すフローチャートである。
ＴＣ取得処理Ｓ２０が開始されると、信号幅検出部４１４は、サンプリング結果に基づいて、二値化回路３７から出力されたＴＣＯ信号の信号幅を検出する（Ｓ２１）。
次に、調整値算出部４１６は、Ｓ２１で信号幅が検出されたＴＣＯ信号が、タイムコードフォーマットにおいてマーカー信号が予め割り当てられた秒（送信タイミング）の信号かを判定し、マーカー信号かを判定する（Ｓ２２）。例えば「ＪＪＹ」の場合、マーカー信号が割り当てられた秒は、０秒、９秒、１９秒、２９秒、３９秒、４９秒、５９秒である。ここで、マーカー信号は、本発明の特定の信号の一例である。
【００４９】
Ｓ２２でＹＥＳと判定された場合、調整値算出部４１６は、Ｓ２１で検出された検出値に対して、マーカー信号の信号幅の理論値（「ＪＪＹ」の場合は２００msec）との差分（検出値−理論値）を算出する（Ｓ２３）。ここで、Ｓ２１で検出された検出値は、本発明の特定信号検出信号幅の一例である。
例えば、検出値が１７０msecの場合、差分は、−３０msec（１７０msec−２００msec）となる。ここで、差分は、本発明の変化量の一例である。
次に、調整値算出部４１６は、差分記憶部４１５に記憶されている、前回までに算出した差分を読み出す（Ｓ２４）。最初は、差分記憶部４１５に記憶されている差分はないため、読み出される差分はない。
次に、調整値算出部４１６は、Ｓ２３で算出した差分およびＳ２４で読み出した差分の平均値を算出することで、コード判定を行う際に検出値と比較される判定閾値（第１判定閾値および第２判定閾値）を調整する調整値を算出する（Ｓ２５）。そして、調整値算出部４１６は、Ｓ２３で算出した差分を、差分記憶部４１５に記憶させる（Ｓ２６）。
【００５０】
そして、閾値設定部４１７は、判定閾値の初期値に、Ｓ２５で算出された平均値を加算して判定閾値を設定（調整）する（Ｓ２７）。なお、「ＪＪＹ」の場合、第１判定閾値の初期値は、マーカー信号の信号幅の理論値である２００msecと、１信号の信号幅の理論値である５００msecとの中間値である３５０msecに設定されている。第２判定閾値の初期値は、１信号の信号幅の理論値である５００msecと、０信号の信号幅の理論値である８００msecとの中間値である６５０msecに設定されている。
例えば、Ｓ２５で算出された平均値が−３０msecである場合、第１判定閾値は３２０msec（３５０msec−３０msec）に設定され、第２判定閾値は６２０msec（６５０msec−３０msec）に設定される。
【００５１】
Ｓ２７の処理の後、または、Ｓ２２でＮＯと判定された場合、コード判定部４１８は、コード判定処理Ｓ４０を実行する。
図７は、コード判定処理Ｓ４０を示すフローチャートである。
コード判定処理Ｓ４０が実行されると、コード判定部４１８は、Ｓ２１で検出された検出値が、Ｓ２７で設定された第１判定閾値以上かつ第２判定閾値未満かを判定する（Ｓ４１）。Ｓ４１でＹＥＳと判定された場合、コード判定部４１８は、ＴＣＯ信号のコードを「１」と判定する（Ｓ４２）。
一方、Ｓ４１でＮＯと判定された場合、コード判定部４１８は、検出値が、Ｓ２７で設定された第２判定閾値以上かを判定する（Ｓ４３）。Ｓ４３でＹＥＳと判定された場合、コード判定部４１８は、ＴＣＯ信号のコードを「０」と判定する（Ｓ４４）。
また、Ｓ４３でＮＯと判定された場合、コード判定部４１８は、ＴＣＯ信号のコードを「Ｐ」（マーカー）と判定する（Ｓ４５）。
そして、Ｓ４２，Ｓ４４，Ｓ４５の処理の後、コード判定部４１８は、判定結果（コード値）をコード記憶部４１９に格納する（Ｓ４６）。そして、コード判定部４１８は、コード判定処理Ｓ４０を終了する。
【００５２】
コード判定処理Ｓ４０が終了すると、図６に示すように、ＴＣＯデコード部４１は、６０秒分のコード値がコード記憶部４１９に格納されたかを判定する（Ｓ２８）。
Ｓ２８でＮＯと判定された場合、ＴＣＯデコード部４１は、処理をＳ２１に戻す。
つまり、Ｓ２８でＹＥＳと判定されるまで、ＴＣＯデコード部４１は、Ｓ２１〜Ｓ２７，Ｓ４０，Ｓ２８の処理を繰り返し実行する。
すなわち、次のマーカー信号のＴＣＯ信号が二値化回路３７から出力されるまでは、Ｓ２２でＮＯと判定されるため、判定閾値は変更されず、Ｓ２１の信号幅の検出、および、コード判定処理Ｓ４０が繰り返し実行される。
そして、次のマーカー信号のＴＣＯ信号が出力されると、Ｓ２２でＹＥＳと判定され、調整値算出部４１６は、Ｓ２３で差分を算出し、Ｓ２４で前回までの差分を読み出し、Ｓ２５で差分の平均値を算出し、Ｓ２６で算出した差分を差分記憶部４１５に格納する。そして、閾値設定部４１７は、Ｓ２７で、判定閾値の初期値に算出された平均値を足すことで、判定閾値を調整する。
そして、次のマーカー信号のＴＣＯ信号が出力されるまで、調整された判定閾値でコード判定処理Ｓ４０が行われる。
【００５３】
このように、調整値算出部４１６は、最初（１つ目）のマーカー信号を受信した場合は、１つ目のマーカー信号の検出値と理論値の差分を調整値とする。２つ目のマーカー信号を受信した場合は、１つ目および２つ目のマーカー信号の検出値と理論値の差分の平均値を、調整値とする。３つ目のマーカー信号を受信した場合は、１つ目、２つ目、３つ目のマーカー信号の検出値と理論値の差分の平均値を調整値する。例えば、１つ目、２つ目、３つ目のマーカー信号の検出値が、１８０msec，１６０msec，１７０msecの場合、理論値との差分は、それぞれ、−２０msec，−４０msec，−３０msecとなり、調整値は、これらの平均値である、−３０msecとなる。
なお、調整値算出部４１６は、４つ目以降のマーカー信号を受信した場合も同様にして調整値を算出する。
【００５４】
６０秒分のコード値がコード記憶部４１９に格納され、Ｓ２８でＹＥＳと判定されると、ＴＣＯデコード部４１は、コード記憶部４１９に記憶されたコード値に基づいてＴＣを取得し、取得したＴＣを制御部４７に出力する。そして、ＴＣＯデコード部４１は、ＴＣ取得処理Ｓ２０を終了する。
【００５５】
ＴＣ取得処理Ｓ２０が終了すると、図５に示すように、制御部４７は、ＴＣＯデコード部４１から出力されたＴＣのうち、３フレームの間で、時刻データの整合性が確認できるかを判定する（Ｓ１０）。具体的には、３つの時刻データの時間間隔が１分間隔であれば、整合性が確認できたと判定し、１分間隔でなければ、整合性が確認できないと判定する。
最初は、１フレーム分の時刻データしかないため、Ｓ１０でＮＯと判定される。そして、制御部４７は、受信が開始されてから８分経過したかを判定する（Ｓ１１）。Ｓ１１でＹＥＳと判定された場合、標準電波を受信できていない場合や、受信していても電波強度が弱い場合等が考えられるため、制御部４７は受信回路部３の動作を終了させて、受信を終了させる（Ｓ１２）。そして、制御部４７は、時刻修正動作を終了する。
【００５６】
一方、Ｓ１１でＮＯと判定された場合、制御部４７は処理をＳ２０に進める。すなわち、Ｓ１０でＹＥＳと判定されるか、Ｓ１１でＹＥＳと判定されるまで、ＴＣ取得処理Ｓ２０が繰り返し実行され、ＴＣ取得処理Ｓ２０が実行される毎に、制御部４７にＴＣが出力される。
そして、３フレームの間で時刻データの整合性が確認でき、Ｓ１０でＹＥＳと判定された場合、制御部４７は、受信回路部３の動作を終了させ、受信を終了させる（Ｓ１３）。
そして、時刻修正部４７１は、時刻データに基づいて時刻カウンター４３のカウント（内部時刻）を修正する（Ｓ１４）。そして、制御部４７は、時刻修正動作を終了する。
【００５７】
なお、「ＷＷＶＢ」では、タイムコードフォーマットにおいて、マーカー信号は、０秒、９秒、１９秒、２９秒、３９秒、４９秒、５９秒に割り当てられているため、調整値算出部４１６は、これらの秒に対応するＴＣＯ信号の検出値と、マーカー信号の理論値（８００msec）との差分を算出して調整値を算出し、判定閾値を設定する。
また、「ＤＣＦ７７」では、タイムコードフォーマットにおいて、マーカー信号は、０秒に割り当てられているため、調整値算出部４１６は、０秒に対応するＴＣＯ信号の検出値と、マーカー信号の理論値（１００msec）との差分を算出して調整値を算出し、判定閾値を設定する。
【００５８】
［第１実施形態の作用効果］
受信回路部３が、二値化信号の信号幅の理論値からの差分の平均値が、マーカー信号、１信号、０信号で同程度となる特性を有する場合、マーカー信号の信号幅の検出値に対して、マーカー信号の理論値からの差分を算出することで、受信回路部３から出力される１信号および０信号の二値化信号の信号幅の理論値からの差分を、実測値に基づいて検出できる。このため、算出した差分に基づいて判定閾値を調整することで、受信電波の電界強度が弱く、二値化信号の信号幅が理論値からずれる場合でも、１信号、０信号の二値化信号のコードを正しく判定でき、コード判定の精度を向上できる。
【００５９】
判定閾値は算出された差分の平均値に基づいて設定されるため、マーカー信号にノイズが含まれる場合、ノイズが判定閾値の調整に与える影響を低減できる。したがって、ノイズの影響により、二値化信号のコードが誤って判定される可能性を低減できる。
【００６０】
マーカー信号の１つは、０秒位置に割り当てられているため、マーカー信号を受信したタイミングで、判定閾値を調整することで、受信を開始した直後から、調整した判定閾値でＴＣＯ信号のコードを判定できる。このため、正確なＴＣの取得に早期に成功できる可能性を向上できる。
【００６１】
［第２実施形態］
第１実施形態の電波修正時計１は、マーカー信号を受信する毎に判定閾値を設定していたが、第２実施形態の電波修正時計は、１分毎に判定閾値を設定する。このため、第２実施形態のＴＣＯデコード部４１Ａの構成およびＴＣＯデコード部４１Ａが行うＴＣ取得処理Ｓ２０Ａは、第１実施形態のＴＣＯデコード部４１およびＴＣ取得処理Ｓ２０とは異なる。なお、その他の構成は、第１実施形態と同様である。
【００６２】
図８に示すように、ＴＣＯデコード部４１Ａは、第１実施形態のＴＣＯデコード部４１の各機能部に加えて、信号幅検出部４１４の検出値を記憶する検出値記憶部４２０を備える。なお、検出値記憶部４２０に記憶されるデータは、初期化処理Ｓ２により初期化されて消去される。
ＴＣＯデコード部４１ＡがＴＣ取得処理Ｓ２０Ａを実行すると、図９に示すように、Ｓ２１でＴＣＯ信号の信号幅の検出が行われ、Ｓ２２でマーカー信号かの判定が行われる。
Ｓ２２でＹＥＳと判定された場合、信号幅検出部４１４は、Ｓ２１で検出した検出値を、検出値記憶部４２０に格納する（Ｓ３１）。
Ｓ３１の処理の後、または、Ｓ２２でＮＯと判定された場合、コード判定部４１８は、コード判定処理Ｓ４０を実行する。
Ｓ４０の処理の後、ＴＣＯデコード部４１Ａは、６０秒分のコード値がコード記憶部４１９に格納されたかを判定する（Ｓ２８）。
Ｓ２８でＮＯと判定された場合、ＴＣＯデコード部４１は、処理をＳ２１に戻す。そして、Ｓ２８でＹＥＳと判定されるまで、Ｓ２１，Ｓ２２，Ｓ３１，Ｓ４０，Ｓ２８の処理が繰り返し実行される。
なお、最初の１分間は、判定閾値の設定は行われず、判定閾値の初期値に基づいて、コード判定処理Ｓ４０は実行される。
【００６３】
一方、Ｓ２８でＹＥＳと判定された場合、調整値算出部４１６は、検出値記憶部４２０に記憶されている検出値を読み出す（Ｓ３２）。最初の１分が経過した段階では、検出値記憶部４２０には、１分間に検出されたマーカー信号の検出値が記憶されており、Ｓ３２でこれらの検出値が読み出される。
次に、Ｓ２３で、調整値算出部４１６は、Ｓ３２で読み出した検出値に対して、それぞれ、マーカー信号の信号幅の理論値との差分を算出する。
そして、Ｓ２５で、調整値算出部４１６は、Ｓ２３で算出した差分の平均値を算出することで、判定閾値を調整する調整値を算出する。
そして、Ｓ２７で、閾値設定部４１７は、判定閾値の初期値に、Ｓ２５で算出した平均値を加算して判定閾値を設定（調整）する。そして、ＴＣＯデコード部４１は、ＴＣ取得処理Ｓ２０Ａを終了する。
【００６４】
これにより、次の１分間（２回目の１分間）では、Ｓ２７で設定した判定閾値に基づいて、コード判定処理Ｓ４０が実行される。
また、２回目の１分間では、Ｓ２８でＹＥＳと判定された場合、検出値記憶部４２０には、２分間に検出されたマーカー信号の検出値が記憶されているが、調整値算出部４１６は、検出値記憶部４２０から直前の１分間（２回目の１分間）の検出値のみ読み出す。そして、調整値算出部４１６は、読み出した検出値に基づいて調整値を算出し、閾値設定部４１７は、算出された調整値に基づいて判定閾値を設定する。
３回目以降の１分間においても、同様にしてコード判定処理Ｓ４０、および、判定閾値の設定が行われる。
【００６５】
［第２実施形態の作用効果］
第２実施形態においても、第１実施形態と同様の構成により、同様の作用効果を得ることができる。
さらに、判定閾値の設定は、１分間隔で行われるため、例えばマーカー信号を受信する毎に行われる場合と比べて、調整頻度を少なくでき、判定閾値の設定にかかる処理負荷を低減できる。
また、判定閾値は算出された差分の１分間の平均値に基づいて設定されるため、マーカー信号にノイズが含まれる場合、ノイズが判定閾値の調整に与える影響を低減できる。したがって、ノイズの影響により、二値化信号のコードが誤って判定される可能性を低減できる。
【００６６】
［第３実施形態］
第２実施形態の電波修正時計は、１分毎に判定閾値を設定し、設定した判定閾値で次の１分間に受信した受信信号に対してコード判定処理Ｓ４０を行っているが、第３実施形態の電波修正時計は、１分毎に設定した判定閾値で、直前の１分間に受信した受信信号に対してコード判定処理Ｓ４０を行っている。このため、第３実施形態のＴＣ取得処理Ｓ２０Ｂは、第２実施形態のＴＣ取得処理Ｓ２０Ａとは異なる。なお、その他の構成は、第２実施形態と同様である。
【００６７】
図１０に示すように、ＴＣ取得処理Ｓ２０Ｂが実行されると、Ｓ２１でＴＣＯ信号の信号幅の検出が行われる。
そして、信号幅検出部４１４は、Ｓ２１で検出された検出値を、タイムコードフォーマットにおける対応する秒と対応付けて検出値記憶部４２０に格納する（Ｓ３１Ｂ）。
次に、ＴＣＯデコード部４１Ａは、６０秒分の検出値が検出値記憶部４２０に格納されたかを判定する（Ｓ５１）。
Ｓ５１でＮＯと判定された場合、ＴＣＯデコード部４１Ａは、処理をＳ２１に戻す。そして、Ｓ２１，Ｓ３１Ｂ，Ｓ５１の処理が繰り返し実行される。
【００６８】
そして、６０秒分のＴＣＯ信号の検出値が検出値記憶部４２０に記憶され、Ｓ５１でＹＥＳと判定されると、調整値算出部４１６は、検出値記憶部４２０に記憶されている検出値のうち、マーカー信号が割り当てられた秒に対応した検出値のみを読み出す（Ｓ３２Ｂ）。
そして、Ｓ２３で、調整値算出部４１６は、Ｓ３２Ｂで読み出した検出値に対して、それぞれ、マーカー信号の信号幅の理論値との差分を算出する。
そして、Ｓ２５で、調整値算出部４１６は、Ｓ２３で算出した差分の平均値を算出することで、判定閾値を調整する調整値を算出する。
そして、Ｓ２７で、閾値設定部４１７は、判定閾値の初期値に、Ｓ２５で算出した平均値を加算して判定閾値を設定（調整）する。
【００６９】
次に、コード判定部４１８は、検出値記憶部４２０に記憶されている直前の６０秒間の検出値を、０秒から順番に１つ読み出す（Ｓ５２）。
そして、コード判定部４１８は、Ｓ５２で読み出した検出値に基づいて、コード判定処理Ｓ４０を実行する。
Ｓ４０の処理の後、ＴＣＯデコード部４１Ａは、６０秒分のコード値がコード記憶部４１９に格納されたかを判定する（Ｓ２８）。
Ｓ２８でＮＯと判定された場合、ＴＣＯデコード部４１Ａは、処理をＳ５２に戻す。そして、Ｓ５２，Ｓ４０，Ｓ２８の処理が繰り返し実行される。これにより、直前の６０秒間の検出値すべてに対して、コード判定処理Ｓ４０が実行される。
そして、６０秒分のコード値がコード記憶部４１９に格納され、Ｓ２８でＹＥＳと判定されると、ＴＣＯデコード部４１は、ＴＣ取得処理Ｓ２０Ｂを終了する。
なお、Ｓ５２，Ｓ４０，Ｓ２８の処理を行っている際に、並行して、次の１分間のＴＣＯ信号に対して、Ｓ２１，Ｓ３１Ｂ，Ｓ５１の処理を行ってもよい。
【００７０】
また、２回目の１分間では、Ｓ５１でＹＥＳと判定された場合、検出値記憶部４２０には、２分間に検出された検出値が記憶されているが、調整値算出部４１６は、検出値記憶部４２０から直前の１分間（２回目の１分間）のマーカー信号の検出値のみ読み出す。そして、調整値算出部４１６は、読み出した検出値に基づいて調整値を算出し、閾値設定部４１７は、算出された調整値に基づいて判定閾値を設定する。そして、設定された判定閾値に基づいて、２回目の１分間のＴＣＯ信号に対してコード判定処理Ｓ４０が行われる。
３回目以降の１分間においても、同様にして、判定閾値の設定、および、コード判定処理Ｓ４０が行われる。
【００７１】
［第３実施形態の作用効果］
第３実施形態においても、第２実施形態と同様の構成により、同様の作用効果を得ることができる。
さらに、１分間の二値化信号と比較される判定閾値は、同じ１分間で検出されたマーカー信号の検出値の理論値からの差分に基づいて調整される。すなわち、１分間の二値化信号と比較される判定閾値を、同じ受信環境で検出されたマーカー信号の前記差分に基づいて調整できるため、例えば、判定閾値を別の１分間で検出されたマーカー信号の前記差分に基づいて調整する場合と比べて、二値化信号のコードをより正しく判定できる。
また、最初の１分間から調整した判定閾値に基づいてＴＣＯ信号のコードを判定できるため、正確なタイムコードの取得に早期に成功できる可能性を向上できる。
【００７２】
［他の実施形態］
なお、本発明は前述の各実施形態に限定されるものではなく、本発明の目的を達成できる範囲での変形、改良等は本発明に含まれるものである。
前記各実施形態では、調整値算出部４１６は、マーカー信号の信号幅の検出値に基づいて調整値を算出しているが、本発明はこれに限定されない。例えば、「ＪＪＹ」や「ＷＷＶＢ」において、タイムコードフォーマットにおける４秒、１０秒、１１秒、１４秒等に予め割り当てられた固定信号や、「ＤＣＦ７７」において、タイムコードフォーマットにおける１秒〜１４秒に予め割り当てられた拡張用信号の信号幅の検出値に基づいて調整値を算出してもよい。
【００７３】
前記各実施形態では、調整値算出部４１６は、マーカー信号の信号幅の検出値と理論値との差分の平均値を算出することで調整値を算出しているが、本発明はこれに限定されない。例えば、検出値の理論値に対する比率の平均値を算出することで調整値を算出してもよい。例えば、「ＪＪＹ」では、マーカー信号の検出値が１８０msecの場合、前記比率は、０．９（１８０msec／２００msec）となる。
この場合、閾値設定部４１７は、判定閾値の初期値に、調整値を掛けることで判定閾値を設定する。例えば、「ＪＪＹ」では、前記比率の平均値が０．９である場合、第１判定閾値は、３１５msec（３５０msec×０．９）となり、第２判定閾値は、５８５msec（６５０×０．９）となる。
【００７４】
前記第１実施形態では、調整値算出部４１６は、マーカー信号の信号幅を検出する毎に、検出値と理論値との差分を算出し、算出した差分と、前回までに算出した差分の平均値を算出して、調整値を算出しているが、本発明はこれに限定されない。例えば、算出した差分をそのまま調整値としてもよい。
【００７５】
前記第２および第３実施形態では、調整値算出部４１６は、直前の１分間のマーカー信号の信号幅の検出値に基づいて調整値を算出しているが、本発明はこれに限定されない。例えば、受信を開始してから受信したすべてのマーカー信号の信号幅の検出値に基づいて調整値を算出してもよい。
【００７６】
前記第２実施形態において、最初の１分間のＴＣＯ信号に対しては、コード判定処理Ｓ４０を行わないようにしてもよい。
【００７７】
前記各実施形態では、Ｓ１０において、制御部４７は、ＴＣＯデコード部４１から出力されたＴＣのうち、３フレームの間で、時刻データの整合性が確認できるかを判定しているが、本発明はこれに限定されない。例えば、ＴＣと内部時刻との間で整合性を確認できるかを判定してもよい。
【符号の説明】
【００７８】
１…電波修正時計、３…受信回路部、３７…二値化回路、４…制御回路部、４１…ＴＣＯデコード部、４１１…サンプリング部、４１２…秒同期検出部、４１３…秒位置検出部、４１４…信号幅検出部、４１５…差分記憶部、４１６…調整値算出部、４１７…閾値設定部、４１８…コード判定部、４１９…コード記憶部、４２０…検出値記憶部、４３…時刻カウンター、４７…制御部、４７１…時刻修正部。
【図１】
2016212018.tif 000003
【図２】
2016212018.tif 000004
【図３】
2016212018.tif 000005
【図４】
2016212018.tif 000006
【図５】
2016212018.tif 000007
【図６】
2016212018.tif 000008
【図７】
2016212018.tif 000009
【図８】
2016212018.tif 000010
【図９】
2016212018.tif 000011
【図１０】
2016212018.tif 000012